(57)【要約】【課題】電子早見本の表示可能時間をできるだけ長くするカラオケ用照明制御システムを提供する。【解決手段】電子早見本２の駆動用バッテリ９０の電圧値が所定の値になると、駆動用バッテリ９０の電圧値の低下に応じて室内照明３の輝度を下げる旨の照度指令を無線ＬＡＮ通信部６８を介してカラオケ装置本体１に出力する。カラオケ装置本体１では、インターフェース部１４を介して入力された照度指令により調光部４２を介して室内照明３の輝度、つまり、室内照度を下げる。さらに、電子早見本２では、光センサ９８により室内照度を検出して、その検出した室内照度に応じてバックライト９４の輝度を下げる。このようにしてバックライト９４の輝度を下げることで、使用者の目を慣らしつつ消費電力を少なくすることができるので、電子早見本２の駆動用バッテリ９０の駆動時間が延びる、つまり、電子早見本２の表示時間が長くなる。【選択図】図１
2007173188.tif 000002
【特許請求の範囲】
【請求項１】
室内照明の輝度を変化させるための調光手段と、
照度指令信号を受信し、前記調光手段を介して前記室内照明の輝度を変化させることによって室内照度を制御するシステム制御手段と、
表示部と操作入力部と信号出力部とを備え、駆動用バッテリにより駆動されて、前記表示部により各種情報表示を行うと共に、前記操作入力部を介して入力されたデータに基づいて選曲し、その選曲した曲に関するデータを前記信号出力部を介して曲の演奏を行うカラオケ装置本体へ送信する電子早見本と、
を備えたカラオケ用照明制御システムであって、
前記電子早見本は、
前記駆動用バッテリの電圧を検出する電圧検出手段と、
室内照度を検出する照度検出手段と、
前記表示部の画面の調光をするための表示用照明と、
前記電圧検出手段により検出された電圧値に基づき前記信号出力部を介して前記システム制御手段へ照度指令信号を出力すると共に、前記照度検出手段により検出された室内照度に基づいて前記表示用照明の輝度を制御する電子早見本制御手段と、
を備えたことを特徴とするカラオケ用照明制御システム。
【請求項２】
請求項１に記載のカラオケ用照明制御システムにおいて、
前記電子早見本制御手段は、
前記電圧検出手段で検出した前記駆動用バッテリの電圧が所定の電圧値以下になった場合に、前記信号出力部を介して前記システム制御手段へ室内照度を下げる旨の照度指令信号を出力することを特徴とするカラオケ用照明制御システム。
【請求項３】
請求項１又は請求項２に記載のカラオケ用照明制御システムにおいて、
前記カラオケ装置本体は、演奏される曲の歌詞や映像を表示するための表示装置を備えると共に前記システム制御手段を内蔵し、
前記システム制御手段は、室内照度の制御に加え、前記カラオケ装置本体の曲の演奏制御を行うと共に表示指令信号を受信し、前記カラオケ装置本体の前記表示装置に前記受信した表示指令信号で指令された内容を表示するための表示制御を行い、
前記電子早見本制御手段は、
前記電圧検出手段で検出した前記駆動用バッテリの電圧が放電終了電圧となった場合に、前記信号出力部を介して前記システム制御手段へ室内照度を所定の照度にする旨の照度指令信号を出力すると共に、前記信号出力部を介して前記システム制御手段へ前記駆動用バッテリに関する表示をする旨の表示指令信号を出力することを特徴とするカラオケ用照明制御システム。
【請求項４】
請求項３に記載のカラオケ用照明制御システムにおいて、
前記システム制御手段は、
室内照度を所定の照度にする旨の照度指令信号及び前記駆動用バッテリに関する表示をする旨の表示指令信号を受けたときに、前記カラオケ装置本体で演奏中の曲があれば、前記表示装置に対するその曲の歌詞や映像の表示終了後に、前記調光手段を介して前記室内照明の輝度を変化させることによって室内照度を前記所定の照度に制御すると共に、前記表示装置に前記駆動用バッテリに関する表示を行うことを特徴とするカラオケ用照明制御システム。
【発明の詳細な説明】
【技術分野】
【０００１】
本発明は、電子早見本を備え、室内照度の調光機能を有するカラオケ用照明制御システムに関する。
【背景技術】
【０００２】
従来、パーソナルコンピュータなどの表示装置には透過型液晶を用いた液晶表示装置が使用されている。このような透過型液晶を用いた液晶表示装置では液晶の裏面に装着されたバックライトの輝度を制御することで表示画面の照度を変化させている。
【０００３】
そして、バックライトの輝度を制御する方法として、使用する場所の外光照度に合わせてバックライトの輝度を最適値に制御する方法が用いられている。すなわち、外光照度が高い、つまり、周囲が明るい場合はバックライト輝度を高い基準輝度まで上げ、逆に外光照度が低い、つまり、周囲が暗い場合にはバックライト輝度を低い基準照度まで下げるように制御することにより、表示画面を見やすくすると共に消費電力を低減させている（例えば、特許文献１参照）。
【０００４】
また、バックライトの輝度の別の制御方法として、バックライト駆動用のバッテリの出力電圧を検出し、検出電圧に応じてバックライトの輝度を決定する方法がある。この方法では、バッテリの電圧が高いときには明るく、電圧が低いときには暗くなるようにバックライトの輝度を制御することで電池の消耗に応じた輝度でバックライトを点灯することにより電池の消費電力を低減させている（例えば、特許文献２参照）。
【特許文献１】特開Ｈ６−２７４４０号公報
【特許文献２】特開Ｈ８−３３００８１号公報
【発明の開示】
【発明が解決しようとする課題】
【０００５】
ところが、上記特許文献１に記載のバックライト輝度の制御方法では、外光照度に合わせて、予め設定されている基準輝度になるようにバックライトの輝度を制御している。すなわち、外光照度が高い場合には高い基準輝度になるようにバックライトの輝度を制御し、逆に外光照度が低い場合には低い基準輝度になるようにバックライトの輝度を制御している。
【０００６】
したがって、外光照度が明るい状態が続く場合はバックライト輝度が高いままなので消費電力が減らないという問題がある。逆に、外光照度が低い場合には、予め設定されている低い基準輝度になるようにバックライトの輝度を保つ必要があるので、バックライトをバッテリ駆動した場合には、バッテリの電圧が低下したときに、その低い基準輝度を保つことができなくなってしまい表示画面が見えなくなってしまうという問題があった。
【０００７】
また、上記特許文献２に記載のバックライト輝度の制御方法では、バッテリ電圧が低くなると、外光照度に関係なくバックライトの輝度が低くなる。したがって、バッテリ電圧が低くなれば、たとえ外光照度が高いときであっても画面は暗くなってしまうので、表示画面が非常に見にくくなるという問題点があった。
【０００８】
本発明は、上述した問題に鑑みなされたものであり、使用者に種々の情報表示を行ったり、使用者が選曲を行ったりする電子早見本の表示可能時間をできるだけ長くするカラオケ用照明制御システムを提供することを目的とする。
【課題を解決するための手段】
【０００９】
本願発明の説明の前に、前述した従来技術の問題点を踏まえ、カラオケシステムにおける外光照度と電子早見本の表示画面の照度、つまり、電子早見本の表示装置に装着されている表示用照明の輝度制御の特徴を説明する。
【００１０】
カラオケシステムは、戸外で使用されることは少なく、通常、カラオケボックス等の室内で使用される。つまり、外光照度が低い室内で使用されることが多い。つまり、使用者は、周囲が暗い中に長時間いるので、いわゆる目が慣れた状態で電子早見本の画面を見ることになる。したがって、電子早見本の表示画面は相当暗い画面であっても使用者は画面を読み取ることができる。
【００１１】
また、電子早見本の表示も周囲が暗いことを前提としてなされている。例えば、表示文字をパーソナルコンピュータ等の表示に比べ大きく表示するようにして、暗い中でも読み取り易くなるようになっている。したがって、表示画面を相当暗くしても使用者が画面を読み取ることができるという特徴もある。
【００１２】
さらに、電子早見本は、その表示内容を常に使用者が見るというものではなく、通常、複数の使用者が代る代る手にし、必要なとき、例えば、選曲を行うときにだけ一時的にその表示内容を見るという使われ方がされるという特徴がある。
【００１３】
また、電子早見本は、曲の演奏を行うカラオケ装置本体から離れている使用者の手元に置かれるため、下記（ａ），（ｂ）に示すような特徴がある。
（ａ）電子早見本が受け付けで渡される場合
電子早見本は、通常のリモコンと比較して高価であるためにカラオケボックスでは、カラオケ利用者の入店時に、受付で利用者に貸与されることが多い。よって、電子早見本は、非使用時は受付において、受付に設置されたクレードル（充電器）を介して充電されており、貸与後から返却されるまでの間、つまり、利用者のカラオケ入店時間中はバッテリで駆動されるため、入店時間が長くなるにつれ、利用途中でバッテリ切れのためい電子早見本の機能が停止する可能性が高くなるという問題があった。また、長い入店時間に対応するためにバッテリ容量を大きくすると重量が重くなり、利用者が手元で使用しにくくなるという問題もあった。
【００１４】
（ｂ）電子早見本がカラオケ室内のクレードル（充電器）に設置されている場合
電子早見本は、主に歌唱曲の検索などに使用される。カラオケの歌唱者が１人である場合には、歌唱する歌詞はＴＶ画面に表示され、電子早見本で曲の検索を行わないため、歌唱中において、電子早見本はクレードルに置かれており、その間に充電される。
【００１５】
ところが、カラオケをグループ（複数人）で楽しむときには、電子早見本は共有して利用され、１人が歌唱中であっても、残りの人が各自の歌唱曲の検索を行うために、電子早見本は、クレードルに置かれず、常に、カラオケ歌唱本人以外の何れかの人の手元にあることとなる。
【００１６】
よって、複数人で電子早見本を共有する場合は、充電される機会が１人で使用する場合より少なくなり、充電期間と放電（使用）期間とを比較すると、複数人で共有する場合の方が放電期間が長くなるため、電子早見本を共用する人数が増えると共に放電時間が長くなり、利用途中でバッテリ切れとなって電子早見本の機能が停止する可能性が高くなるという問題があった。また、バッテリ切れを防ぐためにバッテリ容量を大きくすると重量が重くなり、利用者が手元で使用しにくくなるという問題もあった。
【００１７】
このようなカラオケシステムの特徴を考慮し、前述のような従来技術の問題点を解決するためになされた請求項１に記載のカラオケ用照明制御システムは、室内照明（３：この欄においては、発明に対する理解を容易にするため、必要に応じて「発明を実施するための最良の形態」欄において用いた符号を付すが、この符号によって請求の範囲を限定することを意味するものではない。）の輝度を変化させるための調光手段（４２）と、照度指令信号を受信し、調光手段（４２）を介して室内照明（３）の輝度を変化させることによって室内照度を制御するシステム制御手段（１２）と、表示部（５８）と操作入力部（６０）と信号出力部（６８）とを備え、駆動用バッテリ（９０）により駆動されて、表示部（５８）により各種情報表示を行うと共に、操作入力部（６０）を介して入力されたデータに基づいて選曲し、その選曲した曲に関するデータを信号出力部（６８）を介して曲の演奏を行うカラオケ装置本体（１）へ送信する電子早見本（２）と、を備えたカラオケ用照明制御システムであって、電子早見本（２）は、駆動用バッテリ（９０）の電圧を検出する電圧検出手段（９２）と、室内照度を検出する照度検出手段（９８）と、表示部（５８）の画面の調光をするための表示用照明（９４）と、電圧検出手段（９２）により検出された電圧値に基づき信号出力部（６８）を介してシステム制御手段（１２）へ照度指令信号を出力すると共に、照度検出手段（９８）により検出された室内照度に基づいて表示用照明（９４）の輝度を制御する電子早見本制御手段（５２）と、を備えたことを特徴とする。
【００１８】
ここで、「照度指令信号」とは、照度指令を行うための電気的な信号以外に、赤外線信号及びバスや無線ＬＡＮ等で通信されるデータを含む意味である。
また、信号出力部（６８）の出力は、電気的な信号以外に、赤外線信号及びバスや無線ＬＡＮ等で通信されるデータを含む。
【００１９】
また、「選曲した曲に関するデータ」とは、本カラオケ用照明制御システムにおいて記憶されたり、通信手段等によって送信されてくる曲を演奏するために必要となるデータであり、例えば、各曲に対して予め決められている曲番号をいう。
【００２０】
さらに、「電圧検出手段（９２）により検出された電圧値に基づきシステム制御手段（１２）へ照度指令信号を出力する」とは、例えば、電圧検出手段（９２）により検出された電圧値が下がったときは、システム制御手段（１２）へ室内照度を下げる旨の照度指令信号を出力するという意味である。
【００２１】
また、電子早見本（２）の表示部（５８）によりなされる「各種情報表示」とは、使用者が選曲を行う際に必要となる情報、例えば、曲検索の入力を促すための表示や使用者による選曲操作がなされていないときに表示されるコマーシャル等の表示をいう。
【００２２】
このようなカラオケ用照明制御システムでは、電子早見本（２）の駆動用バッテリ（９０）の電圧値に基づいて室内照明（３）の輝度を変化させて、室内照度を制御し、さらにその室内照度に基づいて電子早見本（２）の表示用照明（９４）の輝度を制御している。
【００２３】
したがって、電子早見本（２）の駆動用バッテリ（９０）の電圧値が下がった場合には、電子早見本（２）からシステム制御手段（１２）へ室内照度を下げる旨の照度指令信号を出力すれば、室内照度が下がる（室内が暗くなる）と共に電子早見本（２）の表示画面用照明の輝度も下がる。
【００２４】
このように、電子早見本（２）の駆動用バッテリ（９０）の電圧値に基づいて、電子早見本（２）の表示用照明（９４）の輝度を下げれば、消費電力が少なくなるので、電子早見本（２）の駆動用バッテリ（９０）の駆動時間が延びる、つまり、電子早見本（２）の表示時間が長くなる。
【００２５】
さらに、電子早見本（２）の表示用照明（９４）の輝度は、室内照度と連動して下がる。したがって、前述したカラオケシステムの特徴で述べたような、比較的暗い室内で使用されたり、多人数で代る代る使用されるという環境下では、通常の明るい環境下で使用される表示用照明の輝度（例えば、パーソナルコンピュータ等）に比べ、電子早見本（２）の表示用照明（９４）の輝度を下げることができる。
【００２６】
すなわち、電子早見本（２）の駆動用バッテリ（９０）の消費電力を通常の明るい環境下で使用される表示装置に比べ大きく下げることができるので、駆動用バッテリ（９０）の駆動時間が大きく延びる、つまり、電子早見本（２）の表示時間が非常に長くなる。
【００２７】
逆に、表示時間を従来と同じ時間にするのであれば、駆動用バッテリ（９０）の容量を少なくすることができる、すなわち、駆動用バッテリ（９０）を小型・軽量化することができるので、電子早見本（２）を軽量化することができる。したがって、使用者にとって使いやすい電子早見本（２）とすることができる。
【００２８】
ところで、電子早見本（２）を使用すれば駆動用バッテリ（９０）残量は徐々に少なくなっていくので、上記のカラオケ用照明制御システムでは、照明が徐々に暗くなっていく。ところが、室内照度はできるだけ、つまり、駆動用バッテリ（９０）の残量が許す限り一定であることが望ましい。
【００２９】
そこで、請求項２に記載のように、電子早見本制御手段（５２）は、電圧検出手段（９２）で検出した駆動用バッテリ（９０）の電圧が所定の電圧値以下になった場合に、信号出力部（６８）を介してシステム制御手段（１２）へ室内照度を下げる旨の照度指令信号を出力するようにするとよい。
【００３０】
ここで、「所定の電圧値」とは、駆動用バッテリ（９０）の消費を抑制したいバッテリ残量となったときの駆動用バッテリ（９０）の電圧値をいう。
このようにすると、駆動用バッテリ（９０）の残量が所定の値より多い場合、つまり、駆動用バッテリ（９０）の電圧が所定の電圧値より大きい場合には、室内照度が下がらないので、電子早見本（２）の表示がより見やすくなる。
【００３１】
一方、駆動用バッテリ（９０）の残量が所定の値以下、つまり、電圧が所定の電圧値以下の場合に室内照度が下がると共に電子早見本（２）の表示用照明（９４）の輝度が下がる、すなわち、使用者の目を室内の暗さに慣れさせつつ、使用者が表示内容を認識できる明るさの表示を行うことができる。したがって、表示用照明（９４）の輝度を下げることで、消費電力を低減することができるので、表示時間を長くすることができる。
【００３２】
ところが、以上のようにして、電子早見本（２）の駆動用バッテリ（９０）の電力消費を抑制し、表示時間を長くしても、いずれは駆動用バッテリ（９０）の残量が少なくなるので、電子早見本（２）の表示用照明（９４）の輝度が下がって使用者が表示を認識できなくなる。
【００３３】
そこで、請求項３に記載のように、カラオケ装置本体（１）は、演奏される曲の歌詞や映像を表示するための表示装置（３６）を備えると共にシステム制御手段（１２）を内蔵し、システム制御手段（１２）は、室内照度の制御に加え、カラオケ装置本体（１）の曲の演奏制御を行うと共に表示指令信号を受信し、カラオケ装置本体（１）の表示装置（３６）に受信した表示指令信号で指令された内容を表示するための表示制御を行い、電子早見本制御手段（５２）-は、電圧検出手段（９２）で検出した駆動用バッテリ（９０）の電圧が放電終了電圧となった場合に、信号出力部（６８）を介してシステム制御手段（１２）へ室内照度を所定の照度にする旨の照度指令信号を出力すると共に、信号出力部（６８）を介してシステム制御手段（１２）へ駆動用バッテリ（９０）に関する表示をする旨の表示指令信号を出力するようにするとよい。
【００３４】
ここで、「所定の照度」とは、使用者が駆動用バッテリ（９０）の交換や充電を行うのに必要な照度であり、例えば、室内照明（３）で得られる最高照度をいう。
また、「表示指令信号」とは、表示指令を行うための電気的な信号以外に、赤外線信号及びバスや無線ＬＡＮ等で通信されるデータを含む意味である。
【００３５】
また、「駆動用バッテリに関する表示」とは、駆動用バッテリ（９０）の残量が少なくなったことを意味する表示、例えば、「電子早見本のバッテリ残量なし。」や使用者に駆動用バッテリ（９０）の交換や充電を促すための表示、例えば、「駆動用バッテリの交換や充電をしてください。」という表示をいう。
【００３６】
このようにすると、駆動用バッテリ（９０）の残量が少なくなり、つまり、駆動用バッテリ（９０）の電圧が放電終了電圧となり、表示部（５８）での表示が不可能となった場合に室内が明るくなると共に、表示装置（３６）に駆動用バッテリ（９０）残量に関する表示、例えば「電子早見本のバッテリ残量なし。」や「電子早見本のバッテリの交換又は充電をしてください。」がなされる。
【００３７】
したがって、「電子早見本のバッテリの交換又は充電をしてください。」等の表示が行われたときに室内が明るくなるので使用者が駆動用バッテリ（９０）の交換や充電といった処理をしやすくなる。つまり、使用者にとって使いやすいカラオケ用照明制御システムとなる。
【００３８】
ところで、駆動用バッテリ（９０）の残量が少なくなり、電子早見本（２）の表示部（５８）での表示が不可能になった場合、選曲ができなくなる。ところが、カラオケの演奏中に選曲ができなくなっても、演奏中の曲が演奏が終了するまで、室内を明るくしたり、表示装置（３６）に駆動用バッテリ（９０）に関する表示を行わない方がよいという使用者もいる。
【００３９】
つまり、現在演奏中の曲を楽しんだ後に、駆動用バッテリ（９０）の交換や充電を行えばよいという使用者もいる。そこで、請求項４に記載のように、システム制御手段（１２）は、室内照度を所定の照度にする旨の照度指令信号及び駆動用バッテリ（９０）に関する表示をする旨の表示指令信号を受けたときに、カラオケ装置本体（１）で演奏中の曲があれば、表示装置（３６）に対するその曲の歌詞や映像の表示終了後に、調光手段（４２）を介して室内照明（３）の輝度を変化させることによって室内照度を所定の照度に制御すると共に、表示装置（３６）に駆動用バッテリ（９０）に関する表示を行うようにするとよい。
【００４０】
このようにすると、現在演奏中のカラオケを終了させた後に、室内が明るくなったり、駆動用バッテリ（９０）に関する表示がなされるので、使用者に、現在演奏中のカラオケを中断させたり、興ざめさせることなく駆動用バッテリ（９０）の交換や充電を行ってもらうことができる。
【発明を実施するための最良の形態】
【００４１】
以下、本発明が適用された実施形態について図面を用いて説明する。なお、本発明の実施の形態は、下記の実施形態に何ら限定されることはなく、本発明の技術的範囲に属する限り種々の形態を採りうる。
【００４２】
図１は、本発明に係るカラオケ用照明制御システムが適用されたカラオケシステム１００の構成を示すブロック図である。
［カラオケシステム１００の全体構成］
カラオケシステム１００は、図１に示すように、室内照明３、カラオケ演奏を行うと共に室内照明３の輝度を制御するカラオケ装置本体１、使用者により入力されたデータに基づいて選曲し、その選曲した曲に関するデータをカラオケ装置本体１へ送信する電子早見本２、カラオケ装置本体１と電子早見本２との間の通信を行うためのネットワーク８０や無線ＬＡＮアクセスポイント５等を備えている。カラオケシステム１００は、カラオケボックスなどに設置されている。
【００４３】
［各構成要素の説明］
室内照明３は、カラオケシステム１００が設置されたカラオケボックス内の室内照度を確保するためのものであり、白熱球、蛍光灯などの他に室内装飾用のミラーボールなどを含んでいる。
【００４４】
カラオケ装置本体１は、図１に示すように、カラオケ装置本体１全体の動作を制御するシステム制御部１２、カラオケ装置本体１をネットワーク８０に接続するためのインターフェース部１４、演奏楽曲の伴奏内容および歌詞を示す曲に関するデータや映像データなどを記憶するハードディスク（ＨＤＤ）１６、複数のキー・スイッチからなる操作部１８、操作部１８からの信号を処理する操作処理部２２、ハードディスク１６に記憶された曲に関するデータから演奏楽曲のオーディオ信号（音響・音声に関する信号）を生成し、生成されたオーディオ信号およびマイクロフォン２６から入力されたオーディオ信号を増幅してスピーカ２８へ出力する音声制御部２４、ＭＩＤＩ音源３０、映像情報を一時的に記憶するビデオＲＡＭ３２、映像データに基づく映像の再生を制御する映像再生部３４、ビデオＲＡＭ３２に記憶された映像情報および映像再生部３４により再生される映像の表示装置３６での表示を制御する映像制御部３８、室内照明３の輝度を変化させるための調光部４２などを備えている。
【００４５】
操作部１８は、複数のキースイッチの操作により、カラオケ演奏に必要な設定、例えば、音量の調整やエコーなどの演出効果の設定の他、室内照度、つまり、室内照明３の輝度の設定を行うことができるようになっている。
【００４６】
システム制御部１２は、カラオケ演奏のための各種処理、例えば、操作処理部２２を介して実行される操作部１８の入出力処理、音声制御部２４を介して実行される演奏処理、映像制御部３８を介して実行される表示処理等を実行する。
【００４７】
さらに、システム制御部１２は、インターフェース部１４を介して電子早見本２から照度指令信号を入力し、照度指令信号の内容に応じて調光部４２を介して室内照明３の輝度、つまり、室内照度を制御する。
【００４８】
なお、室内照明３の輝度、つまり、室内照度は、操作部１８から設定することが可能となっている。具体的には、システム制御部１２は、操作部１８で設定された照度の値を操作処理部２２を介して入力し、入力された照度の値に応じて、調光部を介して室内照明３の輝度、つまり、室内照度を制御する。
【００４９】
また、システム制御部１２は、インターフェース部１４を介して電子早見本２から表示指令を入力し、入力された表示指令信号の内容に従って映像制御部を介して表示装置３６に表示を行う。
【００５０】
［電子早見本２の構成の説明］  
電子早見本２は、図１に示すように、電子早見本２全体の動作を制御する電子早見本制御部５２、各種情報を記憶するメモリ５６、表示部５８の表示領域に沿って設置されるタッチパネルおよび複数のキー・スイッチからなる操作部６０、操作部６０からの信号を処理する操作処理部６２、映像情報を一時的に記憶するビデオＲＡＭ６４、ビデオＲＡＭ６４に記憶された映像情報の表示部５８での表示を制御する映像制御部６６、ネットワーク８０に接続された無線ＬＡＮアクセスポイント５との間で無線ＬＡＮ規格（例えば、ＩＥＥＥ８０２．１１ａ／ｂ／ｇ規格）に従った無線通信を行うための無線ＬＡＮ通信部６８、ＵＳＢ制御部７０などを備えている。  このうち無線ＬＡＮ通信部６８は、無線ＬＡＮアクセスポイント５を介してカラオケ装置本体１との間で各種データを送受信する。  電子早見本制御部５２は、カラオケ装置本体１におけるカラオケ演奏に必要となる設定のための各種処理、例えば、選曲のための表示処理や選曲処理、選曲された曲に関するデータをカラオケ装置本体に出力する出力処理、操作部６０からの入力がある期間行われない場合に表示部５８にコマーシャル等を表示するコマーシャル表示処理等を実行する。
【００５１】
表示部５８は、透過型液晶パネルにより構成されており、その透過型液晶パネルの表面（電子早見本外部側）には前述のようにタッチパネルが装着されている。そして、液晶パネルの裏面側（電子早見本内部側）には、バックライト９４が装着されている。
【００５２】
このバックライト９４は、表示部５８の画面、つまり、透過型液晶パネルの調光をするための表示用照明であり、駆動用バッテリ９０によって駆動されるＬＥＤから構成される。
【００５３】
バックライト９４の調光は、電子早見本制御部５２からの指令によりＬＥＤの輝度を制御室内照度指令処理では、まずＳ１００において電圧計９２から駆動用バッテリ９０の電圧値を入力し、Ｓ１０５へ移行する。
【００５４】
Ｓ１０５では、Ｓ１００において入力された電圧値が駆動用バッテリ９０の放電終了電圧まで低下したか否かを判定する。そして、電圧値が放電終了電圧以下であれば（Ｓ１０５にてＹｅｓの場合）Ｓ１３０へ移行し、電圧値が放電終了電圧よりも大きければ（Ｓ１０５にてＮｏの場合）Ｓ１１０へ移行する。
【００５５】
Ｓ１１０では、Ｓ１００において入力された電圧値が所定の電圧値以下となったか否かを判定する。「所定の電圧値」とは、駆動用バッテリのバッテリの残り容量が駆動用バッテリ９０の消費を抑制したい値となったときの駆動用バッテリ９０の電圧値をいう。本実施形態では、駆動用バッテリ９０の残り容量が定格容量の半分となったときの電圧値であり、使用するバッテリによって異なる値となる。
【００５６】
そして、駆動用バッテリ９０の電圧値が所定の電圧値以下であれば（Ｓ１１０にてＹｅｓの場合）Ｓ１１５へ移行し、電圧値が所定の電圧値より大きければ（Ｓ１１０にてＮｏの場合）Ｓ１００へ戻って本室内照度指令処理を繰り返す。
【００５７】
Ｓ１１５では、光センサ９８から室内照度を入力し、Ｓ１２０へ移行する。
Ｓ１２０では、Ｓ１１５において入力された室内照度が予め設定された値以上か否かを判定する。ここで、「予め設定された値」とは、駆動用バッテリ９０の電圧が所定の電圧値まで低下したときに室内照度を低下させる際の室内照度の最低値を意味している。したがって、操作部１８で設定された室内照度がこの「予め設定された値」よりも既に低い値であれば、室内照度は低減されない。すなわち、Ｓ１２５がスキップされることになる。
【００５８】
そして、室内照度が予め設定された値以上であれば（Ｓ１２０にてＹｅｓの場合）Ｓ１２５へ移行し、室内照度が設定された値よりも小さければ（Ｓ１２０にてＮｏの場合）Ｓ１００へ戻って本室内照度指令処理を繰り返す。
【００５９】
Ｓ１２５では、無線ＬＡＮ通信部６８に対して、カラオケ装置本体１に対して室内照明の輝度を小さくする、すなわち、室内照度を下げる旨の照度指令データを出力した後Ｓ１００へ戻って本室内照度指令処理を繰り返す。
【００６０】
なお、無線ＬＡＮ通信部６８は、室内照度を下げる旨の照度指令データを受け、無線ＬＡＮアクセスポイント５に対して室内照度を下げる旨の照度指令データを出力する。また、カラオケ装置本体１は、無線ＬＡＮアクセスポイント５で受信された室内照度を下げる旨の照度指令データをインターフェース部１４により入力し、後述する室内照明制御処理により調光部４２を介して室内照明３の輝度を制御する。
【００６１】
Ｓ１０５において駆動用バッテリ９０の電圧値が放電終了電圧以下と判定され、処理がＳ１３０へ移行された場合、Ｓ１３０では、無線ＬＡＮ通信部６８に対して、カラオケ装置本体１に対して室内照明の輝度を最大、すなわち、室内照度を最大にする旨の照度指令データを出力した後Ｓ１３５へ移行する。
【００６２】
この結果、Ｓ１２５における処理の説明と同様にして室内照明３の輝度が最大、つまり、室内照度が最大になる。
Ｓ１３５では、無線ＬＡＮ通信部６８に対して、カラオケ装置本体１において「電子早見本のバッテリ残量なし。」や「電子早見本のバッテリの交換又は充電をしてください。」の表示を行う旨の表示指令データを出力し、本室内照度指令処理を終了する。
【００６３】
なお、無線ＬＡＮ通信部６８は、「電子早見本のバッテリ残量なし。」等の表示指令データを受け、無線ＬＡＮアクセスポイント５に対して「電子早見本のバッテリ残量なし。」等の表示指令データを出力する。
【００６４】
また、カラオケ装置本体１は、無線ＬＡＮアクセスポイント５で受信された「電子早見本のバッテリ残量なし。」等の表示指令データをインターフェース部１４により受信し、後述する室内照明制御処理により映像制御部３８を介して表示装置３６に「電子早見本のバッテリ残量なし。」等の表示を行う。
【００６５】
［電子早見本２におけるバックライト制御処理］
電子早見本２の電子早見本制御部５２で実行されるバックライト制御処理について、図３に基づき説明する。図３は、電子早見本制御部５２で実行されるバックライト制御処理のフローチャートである。
【００６６】
なお、本バックライト制御処理は、電子早見本制御部５２で実行される種々の処理の１つであり、電子早見本制御部５２で他の処理、例えば、前述した室内照度指令処理と共に実行される。
【００６７】
バックライト制御処理では、まずＳ２００において光センサ９８から室内照度を入力し、Ｓ２０５へ移行する。
Ｓ２０５では、Ｓ２００において入力された室内照度が予め設定された照度以上であるか否かを判定する。そして、室内照度が予め設定された値以上であれば（Ｓ２０５にてＹｅｓの場合）Ｓ２２０へ移行し、室内照度が予め設定された値よりも小さければ（Ｓ２０５にてＮｏの場合）Ｓ２１０へ移行する。
【００６８】
ここで、「予め設定された値」とは、駆動用バッテリ９０の電圧が所定の電圧値まで低下したときに室内照度を低下させる際の閾値となる室内照度を意味している。したがって、室内照度がこの値を下回ると室内照度を下げ始める。
【００６９】
Ｓ２１０では、メモリに記憶されているバックライト９４の輝度の設定値が予め設定された輝度以上であるか否かを判定する。そして、設定値が予め設定された輝度以上であれば（Ｓ２１０にてＹｅｓの場合）Ｓ２１５へ移行し、設定値が予め設定された輝度よりも小さければ（Ｓ２１０にてＮｏの場合）Ｓ２００へ戻って本バックライト制御処理を繰り返す。
【００７０】
ここで、「予め設定された最大輝度」とは、バックライト９４の輝度を下げ始めるための閾値となる輝度を意味している。したがって、現在の輝度が、この最大輝度を下回ればバックライト９４の設定輝度を下げ始める。
【００７１】
Ｓ２１５では、バックライト９４の輝度の設定値を下げ、その設定値データをバックライト制御部９６へ出力した後、Ｓ２００へ戻って本バックライト制御処理を繰り返す。
なお、Ｓ２１５においてバックライト９４の輝度の設定値を下げることにより、バックライト制御部９６では、その設定値データにより指示された電流をバックライト９４に流し、バックライト９４の輝度を下げるようになっている。
【００７２】
Ｓ２０５において、室内照度が予め設定された照度以上であると判定され、処理がＳ２２０へ移行された場合、Ｓ２２０では、メモリに記憶されているバックライト９４の輝度の設定値が予め設定された輝度以上であるか否かを判定する。そして、設定値が予め設定された輝度以上であれば（Ｓ２２０にてＹｅｓの場合）Ｓ２００へ戻って本バックライト制御処理を繰り返し、設定値が予め設定された輝度よりも小さければ（Ｓ２２０にてＮｏの場合）Ｓ２２５へ移行する。
【００７３】
ここで、「予め設定された最低輝度」とは、バックライト９４の輝度を保つための閾値となる輝度を意味している。したがって、現在の輝度が、この最低輝度を下回ればバックライト９４の設定輝度を上げてバックライト９４の輝度をこの最低輝度に保つ。
【００７４】
Ｓ２２５では、バックライト９４の輝度の設定値を上げ、その設定値データをバックライト制御部９６へ出力した後、Ｓ２００に戻って本バックライト制御処理を繰り返す。
なお、Ｓ２２５においてバックライト９４の輝度の設定値を上げることにより、バックライト制御部９６では、その設定値データにより指示された電流をバックライト９４に流し、バックライト９４の輝度を上げるようになっている。
【００７５】
［カラオケ装置本体１における室内照明制御処理］
カラオケ装置本体１のシステム制御部１２で実行される室内照明制御処理について、図４に基づき説明する。図４は、システム制御部１２で実行される室内照明制御処理のフローチャートである。
【００７６】
なお、本室内照明制御処理は、カラオケ装置本体１のシステム制御部１２で実行される種々の処理の１つであり、システム制御部１２で他の処理、例えば、カラオケ演奏処理と共に処理される。
【００７７】
室内照明制御処理では、まずＳ３００においてインターフェース部１４から指令データを入力し、Ｓ３０５へ移行する。
Ｓ３０５では、Ｓ３００において入力された指令データが室内照度を下げる旨の照度指令データであるか否かを判定する。そして、指令データが室内照度を下げる旨の照度指令データであった場合（Ｓ３０５にてＹｅｓの場合）Ｓ３１０へ移行し、指令データが室内照度を下げる旨の照度指令データでなかった場合、つまり、指令データが照度指令データ以外の指令データであるか又は照度指令データではあっても室内照度を下げる旨の照度指令データでなかった場合には、Ｓ３１５へ移行する。
【００７８】
Ｓ３１０では、調光部４２へ室内照明３の輝度を下げる輝度データを出力する。その結果、調光部４２では、そのデータを受け、室内照明３の輝度を下げるので、室内照度は下がる。調光部４２へ室内照明３の輝度を下げる輝度データを出力した後Ｓ３１５へ移行する。
【００７９】
なお、ここで出力される室内照明３の輝度を下げる輝度データは、一定値であり、例えば、室内照明の出力できる輝度の最大値と室内照明が最も暗くする場合に設定されている最小値（例えば、輝度０）とを１０段階に分割した値等である。
【００８０】
Ｓ３１５では、Ｓ３００において入力された指令データが最大室内照度とする旨の照度指令データであるか否かを判定する。そして、指令データが最大室内照度とする旨の照度指令データであれば（Ｓ３１５にてＹｅｓの場合）Ｓ３２０へ移行し、指令データが最大室内照度とする旨の照度指令データでなければ（Ｓ３１５にてＮｏの場合）、つまり、指令データが照度指令データ以外の指令データであるか又は照度指令データではあっても最大室内照度とする旨の照度指令データでなかった場合には、Ｓ３２５へ移行する。
【００８１】
Ｓ３２０では、調光部４２へ室内照明３の輝度を最大にする輝度データを出力する。この結果、調光部４２は、その輝度データを受け、室内照明３の輝度を最大とするので、室内照度も最大となる。調光部４２へ室内照明３の輝度を最大にする輝度データを出力した後Ｓ３２５へ移行する。
【００８２】
Ｓ３２５では、Ｓ３００において入力された指令データが「電子早見本のバッテリ残量なし。」等を表示する旨の表示指令データであるか否かを判定する。そして、指令データが「電子早見本のバッテリ残量なし。」等を表示する旨の表示指令データであれば（Ｓ３２５でＹｅｓの場合）Ｓ３３０へ移行し、指令データが「電子早見本のバッテリ残量なし。」等を表示する旨の表示指令データでなければ（Ｓ３２５でＮｏの場合）Ｓ３００へ戻って本室内照明制御処理を繰り返す。
【００８３】
Ｓ３３０では、現在カラオケ演奏中であるか否か、つまり、音声制御部２４を介してスピーカ２８に音声を出力中であったり、映像制御部３８を介して表示装置３６に歌詞や背景映像を表示中であるか否かを判定する。
【００８４】
そして、現在カラオケ演奏中であれば（Ｓ３３０でＹｅｓの場合）本判定を繰返して、カラオケ演奏が終了するのを待つ。逆に現在カラオケ演奏中でなければ（Ｓ３３０でＮｏの場合）Ｓ３３５へ移行する。
【００８５】
Ｓ３３５では、映像制御部３８へ「電子早見本のバッテリ残量なし。」等を表示するための表示データを出力する。その結果、表示装置３６に「電子早見本のバッテリ残量なし。」等の表示が行われる。そして、表示データを出力した後本室内照明制御処理を終了する。
【００８６】
以上のようなカラオケシステム１００では、電子早見本２の駆動用バッテリ９０の電圧値が所定の電圧値になると、駆動用バッテリ９０の電圧値の低下に応じて室内照明３の輝度を下げることにより室内照度を下げて、さらに下がった室内照度に基づいて電子早見本２のバックライト９４の輝度を下げる。
【００８７】
このように、電子早見本２の駆動用バッテリ９０の電圧値に基づいて、電子早見本２のバックライト９４の輝度を下げれば、使用者の目を室内の暗さに慣れさせつつ、使用者が表示内容を認識できる明るさの表示を行うことができる。
【００８８】
また、バックライト９４の輝度を電子早見本２の駆動用バッテリ９０の電圧値に基づいて下げれば、バックライト９４の輝度を下げることができるので、消費電力が少なくなる。したがって、電子早見本２の駆動用バッテリ９０の駆動時間が延びる、つまり、電子早見本２の表示時間が長くなる。
【００８９】
さらに、電子早見本２のバックライト９４の輝度は、室内照度と連動して下がる。したがって、前述したカラオケシステムの特徴で述べたような、比較的暗い室内で使用されたり、多人数で代る代る使用されるという環境下では、通常の明るい環境下で使用されるパーソナルコンピュータ等のバックライト９４の輝度に比べ、電子早見本２のバックライト９４の輝度を下げることができる。
【００９０】
すなわち、電子早見本２の駆動用バッテリ９０の消費電力を通常の明るい環境下で使用される表示装置に比べ大きく下げることができるので、駆動用バッテリ９０の駆動時間が大きく延びる、つまり、電子早見本２の表示時間が非常に長くなる。
【００９１】
逆に、表示時間を従来と同じ時間にするのであれば、駆動用バッテリ９０の容量を少なくすることができる、すなわち、駆動用バッテリ９０を小型・軽量化することができるので、電子早見本２を軽量化することができる。したがって、使用者にとって使いやすい電子早見本２とすることができる。
【００９２】
また、駆動用バッテリ９０の残量が所定の値（定格容量の半分）より多い場合、つまり、駆動用バッテリ９０の電圧が所定の電圧値より大きい場合には、室内照度が下がらないので、電子早見本２の表示がより見やすい。
【００９３】
さらに、駆動用バッテリ９０の残量が少なくなり、つまり、駆動用バッテリ９０の電圧が放電終了電圧となり、バックライト９４の点灯ができなくなって、表示部５８での表示が不可能となった場合には、室内が明るくなると共に、表示装置３６に駆動用バッテリ９０残量に関する表示、例えば「電子早見本のバッテリ残量なし。」や「電子早見本のバッテリの交換又は充電をしてください。」がなされる。
【００９４】
したがって、「電子早見本のバッテリ残量なし。」等の表示が行われたときに室内が明るくなるので使用者が駆動用バッテリ９０の交換や充電といった処理をしやすくなる。つまり、使用者にとって使いやすいカラオケシステム１００となる。
【００９５】
また、現在演奏中のカラオケを終了させた後に、室内が明るくなったり、駆動用バッテリ９０に関する表示がなされるので、使用者に、現在演奏中のカラオケを中断させたり、興ざめさせることなく駆動用バッテリ９０の交換や充電を行ってもらうことができる。
【００９６】
［他の実施形態］
以上、本発明の実施形態について説明したが、本発明は、本実施形態に限定されるものではなく、種々の態様を採ることができる。
【００９７】
例えば、上記実施形態では、電子早見本２とカラオケ装置本体１との間の指令データの送受信を無線ＬＡＮにより行っていたが、赤外線通信によって行ってもよい。具体的には、電子早見本２に無線ＬＡＮ通信部６８の代りに赤外線通信を行う赤外線通信部を設け、カラオケ装置本体１にも赤外線通信を行うための赤外線通信部を設ける。
【００９８】
そして、ネットワーク８０を経由せず、電子早見本２とカラオケ装置本体１との間で直接、赤外線通信により照度指令データや表示指令データを送受信するのである。このようにすると、カラオケ店内にネットワーク８０のＬＡＮ配線や無線ＬＡＮアクセスポイント５が不要となる。
【００９９】
また、上記実施形態では、表示部５８は、透過型液晶パネルで構成され、その裏面側にＬＥＤにより構成されたバックライト９４が装着されていたが、その他の構成でもよい。例えば、ＬＥＤパネルやプラズマディスプレイ、有機ＥＬ（Electro Luminescence）、ＦＥＤ(Field Emission Display)のような自発光素子で構成されているものであってもよい。この場合、バックライト９４の輝度を制御する代りに、その発光素子の輝度を制御する。
【０１００】
また、上記実施形態では、カラオケ装置本体１における室内照明制御処理のＳ３１０において、調光部４２へ出力する室内照明３の輝度を下げる輝度データとして輝度の最小値と最大値とを１０段階に分割した値を用いていたが、データを出力した回数をカウントし、そのカウント値に応じて出力する輝度の値を変化させるようにしてもよい。
【０１０１】
具体的には、カウント値が小さい場合、つまり、輝度を減少させ始めたときに輝度の低減度合いを小さくし、カウント値が大きくなるに従って輝度の低減度合いを大きくしていくようにすれば、使用者の目が慣れてからの室内照度の低減が早くなるので、使用者に違和感を与えることが少なくなる。逆に、カウント値が小さいときに輝度の低減度合いを大きくし、カウント値が大きくなるに従って輝度の低減度合いを小さくすれば、演出効果が得られる。
【０１０２】
さらに、上記実施形態では、カラオケ装置本体１において室内照明制御処理を実行していたが、調光部４２、ＣＰＵ、インターフェース等を室内照明３に内蔵させて室内照明制御処理を室内照明３で実行するようにしてもよい。
【０１０３】
すなわち、カラオケ装置本体１はカラオケ演奏に関する処理のみを行い、電子早見本２と室内照明３との間で照度データ等の入出力を行うようにして、室内照明３において室内照明制御処理を実行するのである。
【０１０４】
また、調光部４２、ＣＰＵ、インターフェース等を備えた別体の室内照明制御装置を備え、その室内照明制御装置と電子早見本２との間で照度データ等の入出力を行うようにして、室内照明制御装置において室内照明制御処理を行うようにしてもよい。
【図面の簡単な説明】
【０１０５】
【図１】カラオケ用照明制御システムが適用されたカラオケシステム１００の構成を示すブロック図である。
【図２】電子早見本制御部５２で実行される室内照度指令処理のフローチャートである。
【図３】電子早見本制御部５２で実行されるバックライト制御処理のフローチャートである。
【図４】システム制御部１２で実行される室内照明制御処理のフローチャートである。
【符号の説明】
【０１０６】
１…カラオケ装置本体、２…電子早見本、３…室内照明、５…無線ＬＡＮアクセスポイント、１２…システム制御部、１４…インターフェース部、１６…ハードディスク、１８…操作部、２２…操作処理部、２４…音声制御部、２６…マイクロフォン、２８…スピーカ、３０…ＭＩＤＩ音源、３２…ビデオＲＡＭ、３４…映像再生部、３６…表示装置、３８…映像制御部、４２…調光部、５２…電子早見本制御部、５６…メモリ、５８…表示部、６０…操作部、６２…操作処理部、６４…ビデオＲＡＭ、６６…映像制御部、６８…無線ＬＡＮ通信部、７０…ＵＳＢ制御部、８０…ネットワーク、９０…駆動用バッテリ、９２…電圧計、９４…バックライト、９６…バックライト制御部、９８…光センサ、１００…カラオケシステム。
【図１】
2007173188.tif 000003
【図２】
2007173188.tif 000004
【図３】
2007173188.tif 000005
【図４】
2007173188.tif 000006